(57)【要約】      （修正有）【課題】記入された予定を曜日から探す場合において、その認識や確認が簡易かつ明瞭にできるようにし、特定の曜日の日付欄のスペースを適宜調整することができるカレンダーを提供する。【解決手段】渦巻カレンダーは、用紙の中央部に、月を記入するための中央ボックス１１が設けられ、その中央ボックス１１の外周に沿って、時計回りに曜日を配置した曜日表示部１２が設けられ、中央ボックス１１から用紙の外方に向けて伸長される複数の放射状の線１３〜１９によって形成された曜日領域２０と、曜日表示部１２を巻き回すように、時計回りに外方に拡張するように渦巻線３０とが設けられ、渦巻線３０によって曜日領域２０を区分けして、その月の日付け欄３５を形成したことを特徴とする。【選択図】図１
0003230291.tif 000002
【実用新案登録請求の範囲】
【請求項１】
用紙の中央部に、月を記入するための中央ボックス（１１）が設けられ、
その中央ボックス（１１）の外周に沿って、時計回りに曜日を配置した曜日表示部（１２）が設けられ、
前記中央ボックス（１１）から用紙の外方に向けて伸長される複数の放射状の線によって形成された曜日領域（２０）と、
前記曜日表示部（１２）を巻き回すように、
時計回りに外方に拡張するように渦巻線（３０）とが設けられ、
前記渦巻線（３０）によって前記曜日領域（２０）を区分けして、
その月の日付け欄（３５）を形成したことを特徴とする渦巻カレンダー（１０）。
【請求項２】
前記複数の放射状の線が、
斜線と区分け線とからなり、
前記斜線が、
左上角から左上角へ伸長した左上方斜線（１３）と、
右上角から右上角へ伸長する右上方斜線（１４）と、
左下角から左下角へ伸長する左下方斜線（１５）と、
右下角から右下角へ伸長する右下方斜線（１６）とからなり、
前記区分け線が、
上辺中央部から上方に垂直に伸長する縦区分け線（１７）と、
右辺中央部から、右横方向に水平に伸長する右区分け線（１８）と、
左辺中央部から、左横方向に水平に伸長する左区分け線（１９）とからなり、
前記渦巻線（３０）によって区分けされた曜日領域（２０）内に、
日付ボックス（３６）が設けられていることを特徴とする請求項１の渦巻カレンダー（１０）。
【請求項３】
前記渦巻カレンダーを、収納袋（５０）の前面に取り付けたことを特徴とする請求項１又は２に記載の渦巻カレンダー（１０）。
【考案の詳細な説明】
【技術分野】
【０００１】
本考案は、カレンダーに関し、特に、一カ月の記入予定を簡易かつ明瞭に認識できるようにした渦巻カレンダーに関するものである。
【背景技術】
【０００２】
従来から、特定の日が何曜日であり、その日の予定を記入する手段などいろいろな目的に使用されるカレンダーには、各種構成のものが知られている。
このようなカレンダーは、例えば、特許文献１に示されるように、
一般的に、日曜日から始まり土曜日までの７日間を１週間単位として１カ月ごとに構成した月形式のもの、
１月から１２月を１枚に構成した１年形式のもの、
１日ごとに構成した日めくり形式のもの、など、種々のものがある。
このような従来のカレンダーは、長年馴れ親しんでいる構成ではあるが、今日の社会生活環境の変化と対応しない不便さもある。
例えば、特定の曜日にスケジュールが集中する場合など、従来のカレンダーでは、対応できない不便な場合がある。
【先行技術文献】
【特許文献】
【０００３】
【特許文献１】特許第５８６３９３５号公報
【考案の概要】
【考案が解決しようとする課題】
【０００４】
従来のカレンダーでは、例えば、記入した予定を曜日から探す場合は、
カレンダー上において、いちいち目を右左に移さなければならない煩雑さがあり、
その認識・確認に手間取ることが多かった。
また、特定の曜日に多くの予定を記入する場合には、日付欄に書ききれない場合があった。
本考案は、このような観点に鑑み、記入された予定を曜日から探す場合において、
その認識や確認が簡易かつ明瞭にできるようにしたカレンダーを提供するものである。
また、本考案の他の目的は、特定の曜日の日付欄のスペースを適宜調整することができるカレンダーを提供することである。
【課題を解決するための手段】
【０００５】
本考案の渦巻カレンダー１０は以下の特徴を有する。
（１）用紙の中央部に、月を記入するための中央ボックス１１が設けられ、
その中央ボックス１１の外周に沿って、時計回りに曜日を配置した曜日表示部１２が設けられ、
前記中央ボックス１１から用紙の外方に向けて伸長される複数の放射状の線によって形成された曜日領域２０と、
前記曜日表示部１２を巻き回すように、
時計回りに外方に拡張するように渦巻線３０とが設けられ、
前記渦巻線３０によって前記曜日領域２０を区分けして、
その月の日付け欄３５を形成したことを特徴とする。
（２）また、上記（１）の渦巻カレンダー１０において、
前記複数の放射状の線が、
斜線と区分け線とからなり、
前記斜線が、
左上角から左上角へ伸長した左上方斜線１３と、
右上角から右上角へ伸長する右上方斜線１４と、
左下角から左下角へ伸長する左下方斜線１５と、
右下角から右下角へ伸長する右下方斜線１６とからなり、
前記区分け線が、
上辺中央部から上方に垂直に伸長する縦区分け線１７と、
右辺中央部から、右横方向に水平に伸長する右区分け線１８と、
左辺中央部から、左横方向に水平に伸長する左区分け線１９とからなり、
前記渦巻線３０によって区分けされた曜日領域２０内に、
日付ボックス３６が設けられていることを特徴とする。
（３）また、上記（１）、（２）の渦巻カレンダー１０において、
前記渦巻カレンダーを、収納袋５０の前面に取り付けたことを特徴とする。
【考案の効果】
【０００６】
本考案によれば、渦巻状に日付を配置したことにより、その日付予定が簡易かつ明瞭に認識できる。
また、記入された予定を曜日から探す場合において、中央に曜日表示部を設けたので、
曜日からその日の予定の認識や確認が簡易かつ明瞭にできる。
さらに、予定の多い曜日の日付欄のスペースを大きくすることができる。
【図面の簡単な説明】
【０００７】
【図１】本考案に係る実施形態の渦巻カレンダーを示す説明図である。
【図２】実施形態の渦巻カレンダーを収納袋の前面に取り付けた状態を示す概略図であり、（ａ）は正面図、（ｂ）は側面図である。
【図３】実施形態の渦巻カレンダーの収納袋の作用説明図であり、（ａ）は収納袋を開いた状態の側面図、（ｂ）は収納袋を畳んだ状態の側面図である。
【図４】収納袋の下方部を拡大した状態を示す斜視図である。
【図５】カレンダー用紙を収納袋に収納する様子を示す側面図である。
【考案を実施するための形態】
【０００８】
本考案の渦巻カレンダーを図面を参照して説明する。
図１は、本考案に係る実施形態の渦巻カレンダーを示す説明図である。
図１において、渦巻カレンダー１０は、２０２０年３月の例を構成してあり、この用紙１０ａは、通常使用されているカレンダーに適する用紙を使用することが好ましい。
【０００９】
実施形態においては、この用紙の中央部に、月を記入するための中央ボックス１１が設けられ、その中央ボックス１１の外周に沿って、時計回りに７つの曜日を配置した曜日表示部１２が設けられている。
【００１０】
また、中央ボックス１１の、
左上角から左上角へ伸長した左上方斜線１３と、
右上角から右上角へ伸長する右上方斜線１４と、
左下角から左下角へ伸長する左下方斜線１５と、
右下角から右下角へ伸長する右下方斜線１６と、が設けられている。
【００１１】
さらに、中央ボックス１１の、
上辺中央部から上方に垂直に伸長する縦区分け線１７と、
右辺中央部から、右横方向に水平に伸長する右区分け線１８と、
左辺中央部から、左横方向に水平に伸長する左区分け線１９と、が設けられ、
これらの斜線１３、１４、１５、１６及び区分け線１７、１８、１９によって、曜日領域２０が形成されている。
そして、前記曜日表示部１２を巻き回すように、時計回りに外方に拡張するように渦巻線３０が設けられており、前記渦巻線３０の内側に沿って日付ボックス３６が、対応する曜日領域２０内に設けられている。
【００１２】
以下、実施形態の渦巻カレンダーをさらに詳細に説明する。
＜中央ボックス１１＞
まず、カレンダーの中央部に、その月を記入するための中央ボックス１１が設けられている。
【００１３】
＜曜日表示部１２＞
中央ボックス１１の外周に沿って曜日表示部１２が設けられている。
図１では、中央ボックス１１の上左側に「土」、上右側に「日」を配置し、順次「月」、「火」、「水」、「木」、「金」が配置されている。
なお、これらの曜日の配置は、自分の予定に合わせて適宜変更することができる。
また、曜日表示部１２に表記した土、日などの文字は、土は青色、日は赤色、それ以外は黒色など、互いに異なる色で表記して曜日の認識の容易化を図ることが望ましい。
【００１４】
＜放射状の線＞
カレンダー用紙には、中央ボックス（１１）から用紙の外方に向けて伸長される複数の放射状の線が設けられている。
この複数の放射状の線によってカレンダー用紙上に曜日領域（２０）が形成されている。
この複数の放射状の線には、以下に説明する斜線と区分け線とがある。
【００１５】
＜斜線１３〜１６＞
中央ボックス１１の４つの角から、用紙１０ａ四隅へ斜線が設けられている。
これらの斜線は、
中央ボックス（１１）の左上角から、用紙１０ａの左上角へ伸長する左上方斜線１３と、
右上角から用紙１０ａの右上角へ伸長する右上方斜線１４と、
左下角から用紙１０ａの左下角へ伸長する左下方斜線１５と、
右下角から用紙１０ａの右下角へ伸長する右下方斜線１６である。
【００１６】
＜区分け線１７〜１９＞
これらの区分け線は、
中央ボックス１１の、
上辺中央部から上方に垂直に伸長する縦区分け線１７と、
右辺中央部から右横方向に水平に伸長する右区分け線１８と、
左辺中央部から左横方向に水平に伸長する左区分け線１９である。
【００１７】
＜曜日領域２０＞
そして、上記の複数の放射状の線によって、曜日領域２０が形成されている。
図１に示す実施形態では、
左上方斜線１３、右上方斜線１４、左下方斜線１５、右下方斜線１６、
及び、縦区分け線１７、右区分け線１８、左区分け線１９とによって、
曜日領域２０が形成されている。
そして、上記の曜日領域２０は、曜日ごとに以下の領域となる。
すなわち、
縦区分け線１７と右上方斜線１４とで囲われた日曜領域２１と、
右上方斜線１４と右区分け線１８とで囲われた月曜領域２２と、
右区分け線１８と右下方斜線１６とで囲われた火曜領域２３と、
右下方斜線１６と左下方斜線１５とで囲われた水曜領域２４と、
左下方斜線１５と左区分け線１９とで囲われた木曜領域２５と、
左区分け線１９と左上方斜線１３とで囲われた金曜領域２６と、
左上方斜線１３と縦区分け線１７とで囲われた土曜領域２７である。
なお、実施形態では、斜線や区分け線を特定の方向に伸長しているが、
これらの放射状の線は、特定の曜日に予定が多くある場合は、中央ボックス１１からの広がりの角度を広くするなど、適宜調整することができる。
【００１８】
＜渦巻線３０＞
さらに、曜日表示部１２を巻き回すように、時計回りに外方に拡張するように渦巻線３０が設けられている。
図１の実施形態では、渦巻線３０は、縦区分け線１７の下方をスタート地点３１として、
中央ボックス１１を巻き回すようにして、
日曜領域２１から土曜領域２７に亘って、外方に広がるように複数回、周回して設けられている。
さらに詳細に説明すると、渦巻線３０は、まずは、スタート地点３１から右方向に進行し、
右上方斜線１４と交差する近辺において下方に向きを換え、
右下方斜線１６と交差する近辺において左方に向きを換え、
左下方斜線１５と交差する近辺において上方に向きを換え、
左上方斜線１３と交差する近辺において右方に向きを換え、
縦区分け線１７に交差するように設けられている。
渦巻線３０と縦区分け線１７との交差は、スタート地点３１の上方にそれぞれ位置するようになっている。
このようにして、渦巻線３０を曜日表示部１２の回りを巻き回すように複数回周回させ、最終地点３２は、右下方斜線１６との交差点とした。
なお、渦巻線のスタート地点は、右上方斜線１４からとするなど、自分の予定に合わせて適宜変更することができる。
【００１９】
＜日付欄（４０）＞
渦巻カレンダーには、渦巻線３０によって曜日領域２０を区分けされて、その月の日付け欄３５が形成されている。
また、渦巻線３０の内側に沿って日付ボックス３６が、対応する曜日領域２０内に設けられている。
すなわち、渦巻線３０と曜日領域２０とで区分された日付け欄３５に、渦巻線３０の内側に沿って日付ボックス３６が設けられている。
また、日付ボックス３６の内部は、土曜日は青色、日曜日は赤色などを彩色することにより、曜日の識別力がより向上する。
なお、日付ボックス３６に記入する日付は、曜日の配置に依存する。
例えば、日曜領域２１に配置された日付ボックス３６には、その月の日曜日に該当する日付が記入されており、
月曜領域２２には、その月の月曜日に該当する日付が記入されている、
というように、その月の日数に応じて設けられた日付ボックス３６に、それぞれの曜日に対応する日付が記入されている。
なお、日付ボックス３６は、日付の枠の線の太さを変えている。
例えば、渦巻線３０の第１週に設けられる日付ボックス３６の縦線の一部を太線とし、第２週は細線としている。
これにより、探そうとしている日付が、カレンダーの渦巻の中で第何週目に該当するのかを容易に認識できる。
なお、図１に示す日付ボックス３６は、３１日のあと、空欄の日付ボックスを設けている。
【００２０】
＜収納袋５０＞
図２は、実施形態の渦巻カレンダーを収納袋の前面に取り付けた状態を示す概略図であり、
（ａ）は正面図、（ｂ）は側面図である。
図３は、実施形態の渦巻カレンダーの収納袋の作用説明図であり、
（ａ）は収納袋を開いた状態の側面図、（ｂ）は収納袋を畳んだ状態の側面図である。
図４は、収納袋の下方部を拡大した状態を示す斜視図である。
図示するように、
この収納袋５０は、カレンダーを机や棚の上などに自立して設置するために、転倒防止用として用いる。
すなわち、収納袋５０の重みによって、カレンダーを立設状態に維持することができる。
また、収納袋５０の後面の上部に手提げ５１を設けたり、折り線５３に沿って収納袋５０を折り畳むことによって（図４参照）嵩張らなくすることができ、移動も容易となり、壁に掛けたりすることもできる。
【００２１】
なお、終了した月のカレンダーを後方に回して収納袋５０に収納することもできる。
このため、渦巻カレンダー１０の上部左右２カ所にリング取付部５２を設け、このリング取付部５２の穴に、金属やプラスチック製のリング５４を通して、渦巻カレンダー１０を一体化している。
【００２２】
図５は、カレンダー用紙を収納袋に収納する様子を示す側面図である。
（ａ）は、収納袋と一体化して立設している状態の渦巻カレンダーである。
（ｂ）は、一枚のカレンダー用紙の下部を持ち上げた状態を示している。
（ｃ）は、その一枚のカレンダー用紙をリング５４に案内されるようにして後方へ回転させ、先端部から収納袋５０に収納していく状態を示す。
このようにして、過去のカレンダーを収納袋の中に収納し、最新の月のカレンダーを表面に表出させることができる。
【００２３】
なお、実施形態では、３月のカレンダーとして中央ボックス１１には、３月であることを示す「３」の数字が表示したものを示しているが、カレンダーの余白には、渦巻カレンダー１０の提供会社などの会社名やその会社の広告文などを掲載してもよい。
【産業上の利用可能性】
【００２４】
本考案のカレンダーは、通常カレンダーとして、職場や家庭などにおいて、机や棚の上、壁などに吊下げて用いることができる。
また、コンピュータモニター上としてのカレンダー表示にも応用・利用でき、産業上の利用可能性が高いものである。
【符号の説明】
【００２５】
１０  渦巻カレンダー
１０ａ  用紙
１１  中央ボックス
１２  曜日表示部
１３  左上方斜線
１４  右上方斜線
１５  左下方斜線
１６  右下方斜線
１７  縦区分け線
１８  右区分け線
１９  左区分け線
２０  曜日領域
２１  日曜領域
２２  月曜領域
２３  火曜領域
２４  水曜領域
２５  木曜領域
２６  金曜領域
２７  土曜領域
３０  渦巻線
３１  スタート地点
３２  最終地点
３５  日付け欄
３６  日付ボックス
５０  収納袋
５１  手提げ
５２  リング取付部
５３  折り線
５４  リング
【図１】
0003230291.tif 000003
【図２】
0003230291.tif 000004
【図３】
0003230291.tif 000005
【図４】
0003230291.tif 000006
【図５】
0003230291.tif 000007